(57)【要約】  双極型の静電チャック内のどの吸着電極の周辺で静電容量に異常が生じているのかを判別することができる方法及び装置を提供する。  この検査方法では、静電チャック（４）の誘電体（６）内に正補助電極（１２）、負補助電極（１４）を設けておき、それらを接地電位部に接続しておく。そして、被吸着物（２）を載せていない状態でチャック電源（２６）から静電チャック（４）への直流電圧＋Ｖ、−Ｖを印加し又は切った時の、吸着電極（８、１０）、補助電極（１２、１４）に流れる電流Ｉ１〜Ｉ４の過渡電流を測定すると共に、電流Ｉ５（＝Ｉ１−Ｉ２又はＩ３−Ｉ４）の過渡電流を算出し、得られた過渡電流を所定の基準値とそれぞれ比較して、静電チャック（４）内の静電容量の異常を判定する。
2010047311.tif 000002
【特許請求の範囲】
【請求項１】
誘電体内に当該誘電体の表面に沿って配置された正吸着電極及び負吸着電極を有して静電気により被吸着物を吸着する双極型の静電チャックと、接地電位部を基準にして、前記静電チャックの正吸着電極及び負吸着電極に正の直流電圧及び負の直流電圧をそれぞれ供給するチャック電源とを備えている静電チャック装置において、
前記静電チャックの誘電体内であって、前記正吸着電極及び負吸着電極の背面側には、これら吸着電極との間に所定の間隔をあけてそれぞれ対向するように、正補助電極及び負補助電極を設けると共に、これら補助電極を前記接地電位部に接続し、
前記静電チャック上に被吸着物を載せていない状態で前記チャック電源から前記静電チャックへの前記正及び負の直流電圧を印加し又は切った時の、（ａ）前記静電チャックの正吸着電極と前記チャック電源との間を流れる第１の過渡電流、（ｂ）前記静電チャックの正補助電極と前記接地電位部との間を流れる第２の過渡電流、（ｃ）前記静電チャックの負吸着電極と前記チャック電源との間を流れる第３の過渡電流、及び（ｄ）前記静電チャックの負補助電極と前記接地電位部との間を流れる第４の過渡電流の内の少なくとも三つの過渡電流をそれぞれ測定すると共に、前記第１の過渡電流と第２の過渡電流との差又は前記第３の過渡電流と第４の過渡電流との差である第５の過渡電流を算出し、得られた各過渡電流を正常な静電チャックから得られた各過渡電流の基準値とそれぞれ比較し、前記静電チャック内の各吸着電極の周辺における静電容量の異常を判定する判定工程を行うことを特徴とする静電チャックの検査方法。
【請求項２】
前記判定工程は、前記チャック電源から前記静電チャックへの前記正及び負の直流電圧を印加した時の、
（ａ）前記第１及び第２の過渡電流の少なくとも一方の過渡電流を測定し、当該過渡電流がそのピーク値の所定割合に下がるまでの時間を、それに対応する正常な静電チャックの時間と比較し、前記静電チャックの正吸着電極と正補助電極との間の静電容量の異常を判定する第１の工程と、
（ｂ）前記第３及び第４の過渡電流の少なくとも一方の過渡電流を測定し、当該過渡電流がそのピーク値の所定割合に下がるまでの時間を、それに対応する正常な静電チャックの時間と比較し、前記静電チャックの負吸着電極と負補助電極との間の静電容量の異常を判定する第２の工程と、
（ｃ）前記第１の過渡電流と第２の過渡電流との差又は第３の過渡電流と第４の過渡電流との差として求められた第５の過渡電流のピーク値を、それに対応する正常な静電チャックのピーク値と比較し、前記静電チャックの正吸着電極と負吸着電極との間の静電容量の異常を判定する第３の工程とを含む請求項１に記載の静電チャックの検査方法。
【請求項３】
前記静電チャックの正補助電極は正吸着電極に対応した形状をしており、負補助電極は負吸着電極に対応した形状をしている請求項１又は２に記載の静電チャックの検査方法。
【請求項４】
誘電体内に当該誘電体の表面に沿って配置された正吸着電極及び負吸着電極を有して静電気により被吸着物を吸着する双極型の静電チャックと、接地電位部を基準にして、前記静電チャックの正吸着電極及び負吸着電極に正の直流電圧及び負の直流電圧をそれぞれ供給するチャック電源とを備えている静電チャック装置において、
前記静電チャックの誘電体内であって、前記正吸着電極及び負吸着電極の背面側に、これら吸着電極との間に所定の間隔をあけてそれぞれ対向するように配置された正補助電極及び負補助電極と、
前記静電チャックの正吸着電極と前記チャック電源との間に接続されてこれらの間を流れる第１の過渡電流を測定する第１の電流計と、
前記静電チャックの正補助電極と前記接地電位部との間に接続されてこれらの間を流れる第２の過渡電流を測定する第２の電流計と、
前記静電チャックの負吸着電極と前記チャック電源との間に接続されてこれらの間を流れる第３の過渡電流を測定する第３の電流計と、
前記静電チャックの負補助電極と前記接地電位部との間に接続されてこれらの間を流れる第４の過渡電流を測定する第４の電流計と、
前記第１の過渡電流と第２の過渡電流との差又は前記第３の過渡電流と第４の過渡電流との差として求められる第５の過渡電流を算出する演算手段と、
前記静電チャック上に被吸着物を載せていない状態で前記チャック電源から前記静電チャックへの前記正及び負の直流電圧を印加し又は切った際に、前記第１乃至第４の電流計の内の少なくとも三つの電流計で測定される前記第１乃至第４の過渡電流の内の少なくとも三つの過渡電流を測定すると共に、前記演算手段で算出される前記第５の過渡電流を算出し、得られた各過渡電流を正常な静電チャックから得られた各過渡電流の基準値とそれぞれ比較し、前記静電チャック内の静電容量の異常を判定する機能を備えた判定装置とを備えていることを特徴とする静電チャック装置。
【請求項５】
前記判定装置は、前記チャック電源から前記静電チャックへの前記正及び負の直流電圧を印加した時の、
（ａ）前記第１及び第２の過渡電流の少なくとも一方の過渡電流を測定し、当該過渡電流がそのピーク値の所定割合に下がるまでの時間を、それに対応する正常な静電チャックの時間と比較し、前記静電チャックの正吸着電極と正補助電極との間の静電容量の異常を判定する第１の機能と、
（ｂ）前記第３及び第４の過渡電流の少なくとも一方の過渡電流を測定し、当該過渡電流がそのピーク値の所定割合に下がるまでの時間を、それに対応する正常な静電チャックの時間と比較し、前記静電チャックの負吸着電極と負補助電極との間の静電容量の異常を判定する第２の機能と、
（ｃ）前記第１の過渡電流と第２の過渡電流との差又は第３の過渡電流と第４の過渡電流との差として求められた第５の過渡電流のピーク値を、それに対応する正常な静電チャックのピーク値と比較し、前記静電チャックの正吸着電極と負吸着電極との間の静電容量の異常を判定する第３の機能とを含む請求項４に記載の静電チャック装置。
【請求項６】
前記静電チャックの正補助電極は正吸着電極に対応した形状をしており、負補助電極は負吸着電極に対応した形状をしている請求項４又は５に記載の静電チャック装置。
【発明の詳細な説明】
【技術分野】
【０００１】
この発明は、誘電体内に二つの吸着電極を有する双極型の静電チャックと、それに吸着用の直流電圧を供給するチャック電源とを備える静電チャック装置における静電チャックの検査方法及び静電チャック装置に関する。
【背景技術】
【０００２】
上記のような双極型の静電チャックの製造後の検査や、当該静電チャックを半導体製造装置等の利用装置に組み込んだ後の検査等において、静電チャック内の異常の有無を検査することが従来から行われている。【０００３】
静電チャック内の異常の有無を検査する方法として、従来は例えば、静電チャックの二つの吸着電極とチャック電源との間にそれぞれ設けた二つの電流計を用いて、基板等の被吸着物を載せていない状態での両吸着電極に流れる漏れ電流〔電源投入後の定常電流（即ち、一定値に落ち着いた電流）〕を測定することによって行っていた。【０００４】
なお、特許文献１には、静電チャック内の異常の有無を検査する方法は記載されていないけれども、上記と同様の二つの電流計と、それに流れる電流波形の例が記載されている。上記漏れ電流は、この特許文献１の図３中に記載されている、基板を配置しない場合の電流の定常電流に相当している。【０００５】
しかしながら、この特許文献１に記載の従来の検査方法では、直流的な絶縁不良の有無は分かるけれども、静電チャック内の静電容量の異常を判別することはできない。静電チャックは静電気によって被吸着物を吸着するものであるので、静電チャック内の静電容量の異常は、被吸着物に対する吸着力異常の原因となる。また、静電チャック上に被吸着物が有るか否か、あるいは被吸着物が正常に吸着されたか否かの判定にも悪影響を及ぼす。従って、直流的な絶縁不良ではなく、静電容量の異常を検出することが重要である。【０００６】
更に、上記特許文献１の検査方法では、上記漏れ電流の大小によって、静電チャック内のどこかに絶縁不良があることは分かるけれども、どの吸着電極の周辺に異常があるのかを判別することはできない。例えば、二つの吸着電極の内のどちらの周辺に異常があるのか、あるいは両吸着電極間に異常があるのかを判別することはできない。二つの電流計の測定値に差がある場合、どちらの吸着電極に異常箇所がより近いかを推測できる場合があるかもしれないけれども、その推測が正しいとは限らない。【０００７】
また、上記特許文献１とは別に、下部誘電体層と上部誘電体層との間にチャック電極を有する静電チャックと、この静電チャックの下方に配置された下部電極とを備えたガラス基板の載置台において、静電チャックの使用開始前にその誘電体層の絶縁状態を診断する方法として、静電チャックのチャック電極に、ガラス基板を吸着保持する場合よりも低い直流の診断電圧を印加し、この時の静電チャックの電気的特性（電圧や電流）を測定し、得られた測定データと予め設定された設定データとから静電チャックが使用可能か否かを判定する方法が提案されている（特許文献２）。【０００８】
しかしながら、この特許文献２に記載の静電チャックの診断方法においても、測定データを設定データと比較することにより、特許文献１の場合と同様に、静電チャック内のどこかに絶縁不良があるか否かは判別できるけれど、どの吸着電極の周辺に異常があるのかを判別することはできない。
【先行技術文献】
【特許文献】
【０００９】
【特許文献１】特開平11-330,220号公報（図１、図３）
【特許文献２】特開2008-074,564号公報（図１、図２）
【発明の概要】
【発明が解決しようとする課題】
【００１０】
しかるに、静電チャックは、静電気によって被吸着物を吸着するものであるから、静電チャック内の静電容量の異常は被吸着物に対する吸着力異常の原因となり、特に、誘電体内に当該誘電体の表面に沿って配置された正吸着電極及び負吸着電極を有して静電気により被吸着物を吸着する双極型の静電チャックにおいて、二つの吸着電極の内のどちらの周辺に異常があるのか、あるいは、両吸着電極間に異常があるのかを判別することは、製造時や実働時において正常吸着の保証や不良個所の追跡に役立つほか、いずれの電極において断線や電極の欠落、アースへの短絡等の不具合が存在するかを容易に判定できるので、極めて重要なことである。【００１１】
そこで、この発明は、双極型の静電チャック内のどの吸着電極の周辺で静電容量に異常が生じているのかを判別することができる方法及び装置を提供することを主たる目的としている。
【課題を解決するための手段】
【００１２】
この発明に係る静電チャックの検査方法は、
誘電体内に当該誘電体の表面に沿って配置された正吸着電極及び負吸着電極を有して静電気により被吸着物を吸着する双極型の静電チャックと、接地電位部を基準にして、前記静電チャックの正吸着電極及び負吸着電極に正の直流電圧及び負の直流電圧をそれぞれ供給するチャック電源とを備えている静電チャック装置において、
前記静電チャックの誘電体内であって、前記正吸着電極及び負吸着電極の背面側には、これら吸着電極との間に所定の間隔をあけてそれぞれ対向するように、正補助電極及び負補助電極を設けると共に、これら補助電極を前記接地電位部に接続し、
前記静電チャック上に被吸着物を載せていない状態で前記チャック電源から前記静電チャックへの前記正及び負の直流電圧を印加し又は切った時の、（ａ）前記静電チャックの正吸着電極と前記チャック電源との間を流れる第１の過渡電流、（ｂ）前記静電チャックの正補助電極と前記接地電位部との間を流れる第２の過渡電流、（ｃ）前記静電チャックの負吸着電極と前記チャック電源との間を流れる第３の過渡電流、及び（ｄ）前記静電チャックの負補助電極と前記接地電位部との間を流れる第４の過渡電流の内の少なくとも三つの過渡電流をそれぞれ測定すると共に、前記第１の過渡電流と第２の過渡電流との差又は前記第３の過渡電流と第４の過渡電流との差である第５の過渡電流を算出し、得られた各過渡電流を正常な静電チャックから得られた各過渡電流の基準値とそれぞれ比較し、前記静電チャック内の各吸着電極の周辺における静電容量の異常を判定する判定工程を行うことを特徴としている。【００１３】
この発明に係る静電チャック装置は、
誘電体内に当該誘電体の表面に沿って配置された正吸着電極及び負吸着電極を有して静電気により被吸着物を吸着する双極型の静電チャックと、接地電位部を基準にして、前記静電チャックの正吸着電極及び負吸着電極に正の直流電圧及び負の直流電圧をそれぞれ供給するチャック電源とを備えている静電チャック装置において、
前記静電チャックの誘電体内であって、前記正吸着電極及び負吸着電極の背面側に、これら吸着電極との間に所定の間隔をあけてそれぞれ対向するように配置された正補助電極及び負補助電極と、前記静電チャックの正吸着電極と前記チャック電源との間に接続されてこれらの間を流れる第１の過渡電流を測定する第１の電流計と、前記静電チャックの正補助電極と前記接地電位部との間に接続されてこれらの間を流れる第２の過渡電流を測定する第２の電流計と、前記静電チャックの負吸着電極と前記チャック電源との間に接続されてこれらの間を流れる第３の過渡電流を測定する第３の電流計と、前記静電チャックの負補助電極と前記接地電位部との間に接続されてこれらの間を流れる第４の過渡電流を測定する第４の電流計と、前記第１の過渡電流と第２の過渡電流との差又は前記第３の過渡電流と第４の過渡電流との差として求められる第５の過渡電流を算出する演算手段と、
前記静電チャック上に被吸着物を載せていない状態で前記チャック電源から前記静電チャックへの前記正及び負の直流電圧を印加し又は切った際に、前記第１乃至第４の電流計の内の少なくとも三つの電流計で測定される前記第１乃至第４の過渡電流の内の少なくとも三つの過渡電流を測定すると共に、前記演算手段で算出される前記第５の過渡電流を算出し、得られた各過渡電流を正常な静電チャックから得られた各過渡電流の基準値とそれぞれ比較し、前記静電チャック内の静電容量の異常を判定する機能を備えた判定装置とを備えていることを特徴としている。【００１４】
上記第１又は第２の過渡電流は、静電チャックの正吸着電極と正補助電極との間の静電容量の大きさに応じた電流になる。上記第３又は第４の過渡電流は、静電チャックの負吸着電極と負補助電極との間の静電容量の大きさに応じた電流になる。上記第５の過渡電流は、静電チャックの正吸着電極と負吸着電極との間の静電容量の大きさに応じた電流になる。【００１５】
従って、双極型の静電チャック内のどの吸着電極の周辺で静電容量に異常が生じているか否かの判別は、上記第１乃至第４の過渡電流の内の少なくとも三つの過渡電流を測定し、第１又は第２の過渡電流、第３又は第４の過渡電流、及びこれら第１の過渡電流と第２の過渡電流との差あるいは第３の過渡電流と第４の過渡電流との差として求められる第５の過渡電流を所定の基準値（当該静電チャックと同一仕様の正常な静電チャックから得られた対応する第１乃至第５の過渡電流）とそれぞれ比較して静電容量の異常の有無を判定することにより行うことができ、双極型の静電チャック内のどの吸着電極の周辺で静電容量に異常が生じているのか否かの判別に加えて、両吸着電極間で静電容量に異常が生じているか否かの判別も行うことができる。【００１６】
また、本発明においては、双極型の静電チャックにおける静電容量の異常の有無の判別が、測定され、あるいは、算出された第１乃至第５の過渡電流を用いて行われるので、従来の電圧や電流を用いて行う場合と比較して、静電チャックがその機能を発揮するための基本となる静電容量に関する多くの情報を得ることができるという利点がある。【００１７】
更に、本発明において、好ましくは、前記の判定工程（判定装置）は、前記チャック電源から前記静電チャックへの前記正及び負の直流電圧を印加した時の、（ａ）前記第１及び第２の過渡電流の少なくとも一方の過渡電流を測定し、当該過渡電流がそのピーク値の所定割合に下がるまでの時間を、それに対応する正常な静電チャックの時間と比較し、前記静電チャックの正吸着電極と正補助電極との間の静電容量の異常を判定する第１の工程（第１の機能）と、（ｂ）前記第３及び第４の過渡電流の少なくとも一方の過渡電流を測定し、当該過渡電流がそのピーク値の所定割合に下がるまでの時間を、それに対応する正常な静電チャックの時間と比較し、前記静電チャックの負吸着電極と負補助電極との間の静電容量の異常を判定する第２の工程（第２の機能）と、（ｃ）前記第１の過渡電流と第２の過渡電流との差又は第３の過渡電流と第４の過渡電流との差として求められた第５の過渡電流のピーク値を、それに対応する正常な静電チャックのピーク値と比較し、前記静電チャックの正吸着電極と負吸着電極との間の静電容量の異常を判定する第３の工程（第２の機能）とを含むものであるのがよい。このように、測定された過渡電流のピーク値が所定割合に下がるまでの時間を用いて静電容量の異常の有無の判別を行うことにより、電源と静電チャックへの配線のインピーダンスや周囲の電磁界じょう乱に影響され難いので、より正確な判定が可能になるという利点がある。【００１８】
更にまた、本発明において、前記静電チャックの正補助電極は正吸着電極に対応した形状をしており、また、負補助電極は負吸着電極に対応した形状をしているのがよい。これによって、各吸着電極と各補助電極との間の静電容量が大きくなり、それに応じて当該静電容量を通して流れる上記過渡電流も大きくかつ緩やかになる。その結果、当該過渡電流の変化を判定し易くなり、ひいては上記静電容量の異常を判定し易くなる。
【発明の効果】
【００１９】
この発明によれば、上記第１乃至第４の過渡電流の内の少なくとも三つの過渡電流を測定し、また、第５の過渡電流を求めてそれぞれ所定の基準値と比較して静電容量の異常を判定することによって、双極型の静電チャック内のどの吸着電極の周辺で静電容量に異常が生じているのかを判別することができると共に、両吸着電極間で静電容量に異常が生じていることを判別することもできる。
【図面の簡単な説明】
【００２０】
【図１】図１は、この発明に係る検査方法を実施する静電チャック装置の一実施形態を示す図である。
【００２１】
【図２】図２は、図１中の静電チャックの概略平面図である。
【００２２】
【図３】図３は、正常な静電チャックの各過渡電流のシミュレーション結果の一例を示す図である。
【００２３】
【図４】図４は、静電チャックの正吸着電極と正補助電極との間の静電容量Ｃ1が正常時よりも大きい場合の各過渡電流のシミュレーション結果の一例を示す図である。
【００２４】
【図５】図５は、静電チャックの正吸着電極と正補助電極との間の静電容量Ｃ1が正常時よりも小さい場合の各過渡電流のシミュレーション結果の一例を示す図である。
【００２５】
【図６】図６は、静電チャックの負吸着電極と負補助電極との間の静電容量Ｃ2が正常時よりも大きい場合の各過渡電流のシミュレーション結果の一例を示す図である。
【００２６】
【図７】図７は、静電チャックの負吸着電極と負補助電極との間の静電容量Ｃ2が正常時よりも小さい場合の各過渡電流のシミュレーション結果の一例を示す図である。
【００２７】
【図８】図８は、静電チャックの正吸着電極と負吸着電極との間の静電容量Ｃ3が正常時よりも大きい場合の各過渡電流のシミュレーション結果の一例を示す図である。
【００２８】
【図９】図９は、静電チャックの正吸着電極と負吸着電極との間の静電容量Ｃ3が正常時よりも小さい場合の各過渡電流のシミュレーション結果の一例を示す図である。
【発明を実施するための形態】
【００２９】
以下、添付図面に示す実施例に基づいて、本発明を具体的に説明する。
なお、以下の実施例においては、チャック電源から静電チャックへの正及び負の直流電圧を印加した時の過渡電流を用いて静電チャックの検査を行う場合について説明するが、チャック電源から静電チャックへの正及び負の直流電圧を切った時の過渡電流を用いて静電チャックの検査を行う場合も、同様に実施することができる。
【００３０】
図１は、この発明に係る検査方法を実施する静電チャック装置の一実施形態を示す図である。図２は、図１中の静電チャックの概略平面図である。
この静電チャック装置は、静電気によって被吸着物（例えばウェーハ等の基板）２を吸着する双極型の静電チャック４と、この静電チャック４の正吸着電極８及び負吸着電極10に、接地電位部ＧＮＤを基準にして、正の直流電圧＋Ｖ及び負の直流電圧−Ｖをそれぞれ供給するチャック電源26とを備えている。
【００３１】
静電チャック４は、例えばセラミックスのような誘電体６内の表面近くに、当該表面に沿って配置された一対の正吸着電極８及び負吸着電極10を有している。両吸着電極8,10は、この実施形態では図２に示す例のように、共に半円形をしており、かつ同一平面内で相対向して円形を成すように配置されている。但し、一対の吸着電極8,10の形状はこれに限られるものではなく、その他の形状、例えばくし形等でも良い。
【００３２】
静電チャック４の誘電体６内であって正吸着電極８及び負吸着電極10の背面側（換言すれば被吸着物２の吸着面とは反対側）に、両吸着電極8,10に間をあけてそれぞれ対向させて、正補助電極12及び負補助電極14が配置されている。両補助電極12,14は、必ずしも吸着電極8,10に対応した形状をしている必要はないが、この実施形態では、正補助電極12は正吸着電極８に対応した形状をしており、負補助電極14は負吸着電極10に対応した形状をしている。より具体的にはこの実施形態では、両補助電極12,14は、それぞれ、吸着電極8,10とほぼ同じ寸法の半円形をしており、かつ同一平面内で相対向して円形を成すように配置されている。
【００３３】
なお、図１では、補助電極12,14を吸着電極8,10よりも小さく図示しているが、これは単に図示の都合上そうしているだけである。図２では、補助電極12,14は吸着電極8,10に重なっているので図に表れていない。
【００３４】
被吸着物２を載せていない状態において、上記正吸着電極８と正補助電極12との間には第１の静電容量Ｃ1が形成されており、負吸着電極10と負補助電極14との間には第２の静電容量Ｃ2が形成されており、正吸着電極８と負吸着電極10との間には第３の静電容量Ｃ3が形成されている。これらを等価回路的に図１中に図示している。
【００３５】
静電チャック４は、この実施形態では、上記誘電体６等を支持する支持台16を有している。支持台16が金属等の導体から成る場合は、支持台16は通常は電気的に接地されている。
【００３６】
チャック電源26は、その正出力端子32からグラウンド端子36を基準にして上記正の直流電圧＋Ｖを出力する正電源28と、負出力端子34からグラウンド端子36を基準にして上記負の直流電圧−Ｖを出力する負電源30とを有している。両直流電圧＋Ｖ、−Ｖは、互いに大きさが等しく極性が逆である。
【００３７】
静電チャック４の正吸着電極８とチャック電源26（より具体的にはその正出力端子32）との間には、その間を流れる第１の過渡電流Ｉ1を測定する第１の電流計21が接続されている。この電流計21のラインには、電流制限抵抗38が必要に応じて直列接続される。
【００３８】
静電チャック４の正補助電極12と接地電位部ＧＮＤとの間には、その間を流れる第２の過渡電流Ｉ2を測定する第２の電流計22が接続されている。換言すれば、正補助電極12は電流計22を介して接地電位部ＧＮＤに接続（即ち接地）されている。また、チャック電源26のグラウンド端子36も接地電位部ＧＮＤに接続されているので、正補助電極12は電流計22を介してチャック電源26のグラウンド端子36に接続されていると言うこともできる。
【００３９】
静電チャック４の負吸着電極10とチャック電源26（より具体的にはその負出力端子34）との間には、その間を流れる第３の過渡電流Ｉ3を測定する第３の電流計23が接続されている。この電流計23のラインには、上記電流制限抵抗38と同じ抵抗値の電流制限抵抗40が必要に応じて直列接続される。
【００４０】
静電チャック４の負補助電極14と接地電位部ＧＮＤとの間には、その間を流れる第４の過渡電流Ｉ4を測定する第４の電流計24が接続されている。換言すれば、負補助電極14は電流計24を介して接地電位部ＧＮＤに接続（即ち接地）されている。あるいは、負補助電極14は電流計24を介してチャック電源26のグラウンド端子36に接続されていると言うこともできる。
【００４１】
チャック電源26は直流電源であるので、上記過渡電流Ｉ1〜Ｉ4は、本質的には、チャック電源26を投入した時に、即ちチャック電源26から静電チャック４に上記正及び負の直流電圧＋Ｖ、−Ｖを印加した時に過渡的に流れる電流である。これについては、後で図３以降を参照して更に説明する。
【００４２】
また、チャック電源26を投入した時には、上記静電容量Ｃ3を通して過渡電流Ｉ5が流れる。この過渡電流Ｉ5は、キルヒホッフの法則により、上記過渡電流Ｉ1とＩ2との差又は上記過渡電流Ｉ3とＩ4との差の電流である。具体的には過渡電流Ｉ5は、次の数１又は数２によって求めることができる。
【００４３】
［数１］  Ｉ5＝Ｉ1−Ｉ2
【００４４】
［数２］  Ｉ5＝Ｉ3−Ｉ4
【００４５】
電流計21〜24で測定した過渡電流Ｉ1〜Ｉ4のデータは、判定装置42に供給される。判定装置42は、この実施形態では、後述する機能を有している他に、上記数１又は数２に従って上記過渡電流Ｉ5を算出する演算手段を有している。この判定装置42は、例えば、コンピュータを用いて構成されている。
【００４６】
静電チャック４の検査を行うには、この実施形態の検査方法では、次の判定工程を行う。
【００４７】
即ち、静電チャック４上に被吸着物２を載せていない状態でチャック電源26から静電チャック４に上記正及び負の直流電圧＋Ｖ、−Ｖを印加した時の上記過渡電流Ｉ1〜Ｉ5の内の、過渡電流Ｉ5を含む少なくとも四つの過渡電流をそれぞれ測定する。具体的には、表１に示す組み合わせの少なくとも四つの過渡電流をそれぞれ測定する。五つ全ての過渡電流Ｉ1〜Ｉ5を測定しまた算出してもよい。そして、測定しまた算出された過渡電流を所定の基準値とそれぞれ比較して、静電チャック４内の静電容量の異常を判定する。
【００４８】
【表１】
2010047311.tif 000003
【００４９】
表１中のＩ5算出用の過渡電流は、静電容量Ｃ1、Ｃ2、Ｃ3判定用の過渡電流の他に、上記数１又は数２に従って過渡電流Ｉ5を算出するのに必要な過渡電流のことである。
【００５０】
上記過渡電流Ｉ1、Ｉ2は、上記静電容量Ｃ1の大きさに応じた電流になる。上記過渡電流Ｉ3、Ｉ4は、上記静電容量Ｃ2の大きさに応じた電流になる。上記過渡電流Ｉ5は、上記静電容量Ｃ3の大きさに応じた電流になる。従って、上記のような判定工程を行うことによって、静電チャック４内のどの吸着電極8,10の周辺で静電容量Ｃ1又はＣ2に異常が生じているのかを判別することができると共に、両吸着電極8,10間で静電容量Ｃ3 に異常が生じていることを判別することもできる。
【００５１】
即ち、この検査方法によれば、両吸着電極8,10にそれぞれ対応する補助電極12,14を設けたことによって、両補助電極12,14からのリターン電流である過渡電流Ｉ2、Ｉ4を測定することができるので、かつ、上記数１又は数２に従って、両吸着電極8,10間を流れる過渡電流Ｉ5も算出することができるので、静電容量Ｃ1〜Ｃ3の変化が捉えやすくなる。
【００５２】
以上のことを、上記判定工程のより具体例と共に以下に更に説明する。上記判定工程は、以下の実施形態では次の第１乃至第３の工程から成る。
【００５３】
（ａ）上記過渡電流Ｉ1及びＩ2の少なくとも一方の過渡電流を測定して、当該過渡電流がそのピーク値の所定割合に下がるまでの時間を、それに対応する時間であって静電チャック４と同一仕様の正常な静電チャックのものの時間と比較して、静電チャック４の正吸着電極８と正補助電極12との間の静電容量Ｃ1の異常を判定する第１の工程。
【００５４】
上記ピーク値の所定割合は、例えば、ピーク値の１／ｅである。ｅは自然対数の底であり、２．７１８である。所定割合は、これに限定されるものではないが、以下においてはこれを例に説明する。次の第２の工程における所定割合についても同様である。
【００５５】
また、静電容量Ｃ1の判定に、過渡電流Ｉ1及びＩ2の両方の過渡電流を測定して両者を判定に用いても良い。そのようにすれば判定の確度が高まる。次の第２の工程における過渡電流Ｉ3及びＩ4についても同様である。但し以下のシミュレーションにおいては、静電容量Ｃ1の判定用に過渡電流Ｉ1を用い、静電容量Ｃ2の判定用に過渡電流Ｉ3を用いる場合を例に説明する。
【００５６】
（ｂ）上記過渡電流Ｉ3及びＩ4の少なくとも一方の過渡電流を測定して、当該過渡電流がそのピーク値の所定割合に下がるまでの時間を、それに対応する時間であって静電チャック４と同一仕様の正常な静電チャックのものの時間と比較して、静電チャック４の負吸着電極10と負補助電極14との間の静電容量Ｃ2の異常を判定する第２の工程。
【００５７】
（ｃ）上記過渡電流Ｉ5を算出して、当該過渡電流のピーク値を、それに対応するピーク値であって静電チャック４と同一仕様の正常な静電チャックのもののピーク値と比較して、静電チャック４の正吸着電極８と負吸着電極10との間の静電容量Ｃ3の異常を判定する第３の工程。
【００５８】
上記第１乃至第３の工程を、図１に示す装置の等価回路を用いてシミュレーションを行った結果である図３〜図９、及び判定内容をまとめた表２を参照してより詳しく説明する。
【００５９】
【表２】
2010047311.tif 000004
【００６０】
図３は、正常な静電チャック４の上記過渡電流Ｉ1〜Ｉ5の一例を示す。時間０の時点で電源を投入している。他の図においても同様である。過渡電流Ｉ3を括弧書きしているのは、過渡電流Ｉ1と曲線が重なっていることを示している。過渡電流Ｉ4についても同様である。他の図においても同様である。
【００６１】
このような正常な静電チャック４の過渡電流Ｉ1、Ｉ3がそのピーク値Ｐの１／ｅになるまでの時間ｔ1を予め測定しておいて、それを上記第１及び第２の工程における比較の基準値とする。この時間ｔ1は、例えば、上記判定装置42内に記憶しておけば良い。なお、過渡電流Ｉ1〜Ｉ4のピーク値Ｐは、以下の説明及び図面においては簡略化のために同一符号Ｐを用いているが、過渡電流Ｉ1〜Ｉ4において互いに同一値になるとは限らない。
【００６２】
更に、正常な静電チャック４の過渡電流Ｉ5のピーク値Ｐ1を予め算出しておいて、それを上記第３の工程における比較の基準値とする。このピーク値Ｐ1は、例えば、上記判定装置42内に記憶しておけば良い。
【００６３】
なお、このシミュレーションでは、比較の基準として、図３に示した正常な静電チャック４の電流のデータを用いているが、静電チャック４の実際の検査では、検査しようとする静電チャック４と同一仕様の正常な静電チャックの電流のデータを用いる。両データは実質的に同じになるので、以下の説明では両者を区別しないことにする。
【００６４】
静電チャック４において静電容量Ｃ1が異常な場合、例えば正常時（例えば１００nF）よりも大きい場合（例えば１５０nF）の例を図４に示し、正常時よりも小さい場合（例えば３０nF）の例を図５に示す。図３と比較すれば分かるように、過渡電流Ｉ1、Ｉ2が目立って変化している。
【００６５】
上記第１の工程として、過渡電流Ｉ1がそのピーク値Ｐの１／ｅに下がるまでの時間ｔ2（図４の場合）、ｔ3（図５の場合）を測定して、それを正常な静電チャック４の時間ｔ1と比較する。図４の例の場合はｔ1＜ｔ2であるから、静電容量Ｃ1が正常時よりも大きいと判定する。図５の例の場合はｔ1＞ｔ3であるから、静電容量Ｃ1が正常時よりも小さいと判定する。これは、過渡現象において良く知られているように、静電容量に直流電源を投入した直後に流れる過渡電流は、静電容量が大きいとそれへの充電時間が長くなって、時間経過に伴って緩やかに減衰し、静電容量が小さいとそれへの充電時間が短くなって、時間経過に伴って急に減衰するからである。このようにして、静電容量Ｃ1の異常を判定することができる。
【００６６】
静電容量Ｃ1が大きくなる原因としては、例えば、正吸着電極８と正補助電極12との間の距離が等価的に小さくなったことが挙げられる。この原因としては、例えば、誘電体６が熱収縮した場合、正吸着電極８の材料がエレクトロマイグレーションによって周辺に拡散した場合、正吸着電極８の周辺における放電の発生によって電極材料が周辺に向けて溶融固化した場合等が考えられる。
【００６７】
静電容量Ｃ1が小さくなる原因としては、例えば、正吸着電極８への断線、正吸着電極８と正補助電極12との間の距離が等価的に大きくなったこと等が挙げられる。後者の原因としては、例えば、誘電体６の熱による膨張、正吸着電極８の周辺における誘電体６の剥離等が考えられる。
【００６８】
静電チャック４において静電容量Ｃ2が異常な場合、例えば正常時（例えば１００nF）よりも大きい場合（例えば１５０nF）の例を図６に示し、正常時よりも小さい場合（例えば３０nF）の例を図７に示す。図３と比較すれば分かるように、過渡電流Ｉ3、Ｉ4が目立って変化している。
【００６９】
上記第２の工程として、過渡電流Ｉ3がそのピーク値Ｐの１／ｅに下がるまでの時間ｔ4（図６の場合）、ｔ5（図７の場合）を測定して、それを正常な静電チャック４の時間ｔ1と比較する。図６の例の場合はｔ1＜ｔ4であるから、静電容量Ｃ2が正常時よりも大きいと判定する。図７の例の場合はｔ1＞ｔ5であるから、静電容量Ｃ2が正常時よりも小さいと判定する。このようにして、静電容量Ｃ2の異常を判定することができる。
【００７０】
静電容量Ｃ2が大きくなったり小さくなったりする原因の例は、静電容量Ｃ1の場合と同様である。
【００７１】
このように、上記第１の工程及び第２の工程によって、静電容量Ｃ1の異常と静電容量Ｃ2の異常とは互いに独立して判定することができるので、静電チャック４の正吸着電極８と負吸着電極10のどちらの電極の周辺で静電容量に異常が生じているのかを容易に判別することができる。
【００７２】
静電チャック４において静電容量Ｃ3が異常な場合、例えば正常時（例えば１０nF）よりも大きい場合（例えば３０nF）の例を図８に示し、正常時よりも小さい場合（例えば３nF）の例を図９に示す。図３と比較すれば分かるように、過渡電流Ｉ5が目立って変化している。
【００７３】
上記第３の工程として、過渡電流Ｉ5のピーク値Ｐ2（図８の場合）、Ｐ3（図９の場合）を測定して、それを正常な静電チャック４のピーク値Ｐ1と比較する。図８の例の場合はＰ1＜Ｐ2であるから、静電容量Ｃ3が正常時よりも大きいと判定する。図９の例の場合はＰ1＞Ｐ3であるから、静電容量Ｃ3が正常時よりも小さいと判定する。このようにして、静電容量Ｃ3の異常を判定することができる。
【００７４】
静電容量Ｃ3が大きくなる原因としては、例えば、（ａ）両吸着電極8,10間の距離が等価的に小さくなったこと、（ｂ）両吸着電極8,10間の誘電体６の誘電率が大きくなったこと、等が挙げられる。（ａ）の原因としては、例えば、両吸着電極8,10の材料がエレクトロマイグレーションによって両吸着電極8,10間に拡散した場合、両吸着電極8,10間の放電の発生によって電極材料が相手電極へ向けて溶融固化した場合等が考えられる。
【００７５】
静電容量Ｃ3が小さくなる原因としては、例えば、吸着電極8,10の両方又は一方の一部が欠損した場合、経時変化等によって誘電体６の誘電率が小さくなった場合等が挙げられる。
【００７６】
このように、上記第３の工程によって、両吸着電極8,10間で静電容量に異常が生じていることを容易に判定することができる。
【００７７】
なお、前述したように、静電チャック４の補助電極12,14は、吸着電極8,10にそれぞれ対応した形状にしておくのが好ましい。そのようにしておくと、上記静電容量Ｃ1、Ｃ2が大きくなり、それに応じて、当該静電容量Ｃ1、Ｃ2を通して流れる過渡電流Ｉ2、Ｉ4も大きくかつ緩やかになるので、当該過渡電流の変化を判定しやすくなり、ひいては上記静電容量Ｃ1、Ｃ2の異常を判定しやすくなる。
【００７８】
上記判定装置42は、この実施形態では前述したように過渡電流Ｉ5を算出する演算手段を有していると共に、上記判定工程と実質的に同じ内容の処理（即ち、過渡電流測定、比較及び静電容量の異常判定。以下同様）を行う機能を有している。より具体的にはこの実施形態では、上記第１の工程と実質的に同じ内容の処理を行う第１の機能、上記第２の工程と実質的に同じ内容の処理を行う第２の機能、及び、上記第３の工程と実質的に同じ内容の処理を行う第３の機能を有している。換言すれば、このような機能を有する手段を判定装置42は備えている。
【００７９】
従って、上記静電チャック４、チャック電源26、電流計21〜24及び判定装置42を備えているこの実施形態の静電チャック装置においても、上記検査方法について説明した作用効果と同様の作用効果を奏することができる。
【符号の説明】
【００８０】
２…被吸着物、４…静電チャック、６…誘電体、８…正吸着電極、10…負吸着電極、12…正補助電極、14…負補助電極、21〜24…電流計、26…チャック電源、42…判定装置、Ｉ1〜Ｉ5…電流、Ｃ1〜Ｃ3…静電容量、＋Ｖ…正の直流電圧、−Ｖ…負の直流電圧、ＧＮＤ…接地電位部。
【図１】
2010047311.tif 000005
【図２】
2010047311.tif 000006
【図３】
2010047311.tif 000007
【図４】
2010047311.tif 000008
【図５】
2010047311.tif 000009
【図６】
2010047311.tif 000010
【図７】
2010047311.tif 000011
【図８】
2010047311.tif 000012
【図９】
2010047311.tif 000013
【国際調査報告】
2010047311.tif 000014
2010047311.tif 000015
2010047311.tif 000016
2010047311.tif 000017